(57)【要約】【課題】ポケットに収納した電子部品の動きを規制して実装機による電子部品の実装精度を向上させると共に、輸送中の振動による静電気の発生が防止できるテーピング包装体を得る。【解決手段】テーピング包装体１は、キャリアテープ３に開口した貫通孔２を塞ぐように、ボトムテープ４が前記キャリアテープ３の一方の面に張り付けられており、前記ボトムテープ４は紫外線硬化型の粘着層を有して、前記貫通孔２と前記ボトムテープ４とで囲まれて形成するポケット６に収納した半導体装置７を接着・保持する。【選択図】        図１
2004231257.tif 000002
【特許請求の範囲】
【請求項１】
貫通孔を有したキャリアテープと、前記貫通孔を塞ぐように前記キャリアテープの一方の面に張り付けられたボトムテープとを具備し、
前記ボトムテープは前記貫通孔を塞いで形成したポケット内に電子部品を収納可能にする共に粘着力を有して前記ポケット内の電子部品を貼着することを特徴とするテーピング包装体。
【請求項２】
前記ボトムテープは、紫外線硬化型の粘着層を有することを特徴とする請求項１記載のテーピング包装体。
【請求項３】
実装機へ搭載する前に内層側のキャリアテープ上に外層側のキャリアテープを巻き付けた巻装状態にして下層に位置する前記キャリアテープのポケットを上層に位置する前記キャリアテープのボトムテープで覆ったことを特徴とする請求項１又は２記載のテーピング包装体。
【請求項４】
請求項１乃至３記載のテーピング包装体を用い、ポケット内に収納した電子部品を取り出して実装基板に実装するための電子部品の実装機であって、
前記テーピング包装体が移動する移動領域上の、前記電子部品の取り出し位置より上流側で且つ前記ボトムテープと対向する位置に紫外線照射機を装備したことを特徴とする電子部品の実装機。
【請求項５】
請求項４記載の電子部品の実装機により、電子部品を請求項１乃至３記載のテーピング包装体より取り出して実装基板に装着する実装方法であって、
前記電子部品を前記テーピング包装体より取り出す直前に、前記ボトムテープの前記電子部品を貼着した粘着層を紫外線照射することを特徴とする実装方法。
【発明の詳細な説明】
【０００１】
【発明の属する技術分野】
本発明は、電子部品（特にチップ部品、面実装部品、半導体装置）を収納して実装機でプリント基板上に自動実装する際に使用されるテーピング包装体及びこのテーピング包装体を用いた実装機及び物品の実装方法に関するものである。
【０００２】
【従来の技術】
電子部品の梱包を行うためのテーピング包装体として、従来、電子部品を収納するため凹状の窪みとされる複数のポケットをエンボス加工（押出し加工）によりほぼ等間隔で一列に形成したエンボステープが知られており、電子部品を出荷する際には、ポケット内に電子部品を収納した後、基体となるキャリアテープにカバーテープを重ね合わせて貼着することにより、電子部品をポケット内に密封したものが提案されている（例えば、特許文献１参照）。
【０００３】
【特許文献１】
特開平０７−７６３９０号公報
【０００４】
図６，７は、上記特許文献１に開示されたエンボステープと同等のテープ構造を示したもので、エンボステープ３１は、例えば、プラスチック材等の樹脂テープを金型でプレスしてポケット３２が形成されたキャリアテープ３３のポケット３２内に電子部品３４を収納した状態で、ポケット３２を塞ぐように、キャリアテープ３３上にカバーテープ３５を貼着して構成される。なお、エンボステープ３１には、電子部品の実装機に搭載するための送り穴である多数のスプロケットホール３６も形成してある。
【０００５】
図８は、上記のエンボステープ３１を用いた電子部品の実装方法を示す模式図である。
実装機４０は、実装基板４１が載置されるテーブル４２と、電子部品３４を供給する部品供給機構４４と、電子部品３４をキャリアテープ３３から取り出して実装基板４１上に運び、実装基板４１に取り付けるボンディング機構５０とを装備して構成されている。
部品供給機構４４は、エンボステープ３１を繰り出す供給リール４５と、キャリアテープ３３からカバーテープ３５を剥がすためエンボステープ３１の移動域上に回転自在に配置されるローラ４６と、剥がしたカバーテープ３５を巻き取る巻取りローラ４７と、キャリアテープ３３を巻き取る巻取りローラ４８とを備える。
【０００６】
電子部品３４の装着を行う際には、エンボステープ３１が供給リール４５から繰り出されると共に、カバーテープ３５がキャリアテープ３３より剥がされて、エンボステープ３１のポケット３２に収納された電子部品３４を露出させる。
真空吸引部５１を備えたボンディング機構５０は、真空吸引部５１のアーム５２が露出された電子部品３４を吸着保持してテーブル４２上に運び、さらに電子部品３４のリード３８をテーブル上の実装基板４１に挿入した後、電子部品３４の保持状態を解除し、次いで、リード３８と実装基板４１とを半田処理して固定することにより、実装を行う。
なお、電子部品３４が取り出されたキャリアテープ３３は、巻取りローラ４８によって巻き取られる。
上記実装機及び実装方法は、先行技術文献情報として下記の公報に開示されたものである。
【０００７】
【特許文献２】
特開平８−２６３７５号公報
【０００８】
【発明が解決しようとする課題】
しかしながら、従来技術では、電子部品を実装機にて実装する際に、既述したように、カバーテープ３５を剥がして露出させた電子部品３４を、真空吸引部で吸引して実装基板４１に実装しているのであるが、カバーテープ３５を剥がす際に生じる振動により、ポケット３２内で電子部品３４が動くことがあり、そのために、電子部品の吸引時の吸引位置が安定せず、実装精度の面で問題がある。
また、製品信頼性の面においては、テーピング包装体を出荷する際の輸送中の振動により、電子部品３４とポケット３２の壁面との間にクリアランスがあるため、ポケット３２の壁面と電子部品３４とが擦れて摩擦による静電気を発生し、電子部品３４をカバーテープ３５に吸着させたり、製品破壊を生じる虞がある。
なお、静電気対策として、ポケット上に位置するカバーテープの裏面に導電性テープを貼着したものがあるが、このような形態としても導電性テープの粘着層が帯電してしまうため、結果的に吸着力が生じて満足できる静電気対策とはならなかった。
【０００９】
本発明は上記課題に鑑みなされたもので、電子部品を実装する際の電子部品の実装精度を向上させることができ、また、電子部品を出荷するための製品信頼性を得ることができるテーピング包装体及びこのテーピング包装体を用いた実装機及び物品の実装方法を提供することを目的とする。
【００１０】
【課題を解決するための手段】
上記目的を達成するための本発明に係る請求項１記載のテーピング包装体は、貫通孔を有したキャリアテープと、前記貫通孔を塞ぐように前記キャリアテープの一方の面に張り付けられたボトムテープとを具備し、
前記ボトムテープは前記貫通孔を塞いで形成したポケット内に電子部品を収納可能にする共に粘着力を有して前記ポケット内の電子部品を貼着することを特徴とするものである。
【００１１】
このテーピング包装体では、ポケットに収納された電子部品は、粘着テープに貼着されている。したがって、カバーテープを剥がす際の振動によりポケット内で電子部品が動くことを防止できるので、吸引時における電子部品の吸引位置を常時一定にして実装精度の向上を図ることができる。また、テーピング包装体は輸送中に振動が生じても、ポケット壁面と電子部品とが擦れて静電気を発生させることがないため、電子部品がカバーテープに吸着することがなくなり、また、電子部品の静電気破壊を防止することができる。
【００１２】
また、請求項２に記載のように、請求項１記載のテーピング包装体において、前記ボトムテープは、紫外線硬化型の粘着層を有することを特徴とすると良い。
【００１３】
このようにすると、ポケット内の電子部品を吸引して取り出す際に、電子部品が貼着されたテープ部位を紫外線照射すると粘着力が弱められるので、電子部品を容易に吸引することができる。
【００１４】
また、請求項３に記載のように、請求項１又は２記載のテーピング包装体において、実装機へ搭載する前に内層側のキャリアテープ上に外層側のキャリアテープを巻き付けた巻装状態にして下層に位置する前記キャリアテープのポケットを上層に位置する前記キャリアテープのボトムテープで覆ったことを特徴とすると良い。
【００１５】
このようにすると、カバーテープが省略された形態のテーピング包装体でも、ポケットの開口面に重ね合わされる上層側のキャリアテープのボトムテープで、下層側に位置するキャリアテープのポケットが塞がれるので、ポケット内に収納した電子部品を塵埃等の汚染から防止することができる。
【００１６】
また、本発明に係る請求項４記載の電子部品の実装機は、請求項１乃至３記載のテーピング包装体を用い、ポケット内に収納した電子部品を取り出して実装基板に実装するための電子部品の実装機であって、
前記テーピング包装体が移動する移動領域上の、前記電子部品の取り出し位置より上流側で且つ前記ボトムテープと対向する位置に紫外線照射機を装備したことを特徴とする。
【００１７】
また、本発明に係る請求項５記載の電子部品の実装方法は、請求項４記載の電子部品の実装機により、電子部品を請求項１乃至３記載のテーピング包装体より取り出して実装基板に装着する実装方法であって、
前記電子部品を前記テーピング包装体より取り出す直前に、前記ボトムテープの前記電子部品を貼着した粘着層を紫外線照射することを特徴とする。
【００１８】
請求項４及び請求項５のようにすると、電子部品をテーピング包装体から取り出す際に、電子部品が貼着されたテープ部位を紫外線照射してボトムテープの粘着力を弱めることになるので、電子部品をボトムテープから容易に剥がして取り出すことができる。
【００１９】
【発明の実施の形態】
以下、本発明に係るテーピング包装体及びこれを用いた実装機及び物品の実装方法の好適な実施の形態を添付図面に基づいて参照して詳細に説明する。なお、本実施の形態では、テーピング包装体に収納する電子部品は半導体装置であるとする。
図１は、本発明に係るテーピング包装体の一実施の形態を示した概略斜視図であり、図２は図１のＥ−Ｅ線に沿った縦断面図である。
本実施の形態のテーピング包装体１は、多数の貫通孔２を所定間隔に開口したキャリアテープ３と、貫通孔２を塞ぐようにキャリアテープ３の一方の面に張り付けられたボトムテープ４とを備えた構成である。
【００２０】
キャリアテープ３は、長尺のビニル樹脂テープ（例えば、ＰＥＴ，ＰＶＣ）で形成され、貫通孔２を打ち抜き加工によって軸線方向に一列に並設させている。
キャリアテープ３の貫通孔２から外れた領域には、テーピング包装体１を実装機に搭載するための送り穴である多数のスプロケットホール５が穿設されている。
【００２１】
ボトムテープ４は紫外線硬化型の粘着層を有した粘着テープで、スプロケットホール５から外れ、且つ、貫通孔２を塞ぐように、キャリアテープ３に張り付けられて、貫通孔２とボトムテープ４とで囲まれる領域に半導体装置７を収容可能にするポケット６を形成している。
ポケット６は、半導体装置７を収納するための大きさ、形状（本実施形態では矩形状）及び深さを有している。
因みに、ボトムテープの具体例としては、紫外線硬化型ダイシングテープ（例えば、リンテック株式会社製、品番：Ｄ−６７５）を適用することができる。この紫外線硬化型ダイシングテープは、９０μｍ厚のポリオレフィンの基材上に、１０μｍ厚のアクリル系ＵＶ硬化タイプの粘着層を設けて、その粘着力が、紫外線照射前で２０００ｍＮ／２５ｍｍ、紫外線照射後で２００ｍＮ／２５ｍｍになるものである。
【００２２】
半導体装置７は、図２に示すように、半導体装置７の両端部から下方に延びて形成されたリード８がボトムテープ４表面の粘着層に接着されてポケット６内に固定・保持される。
【００２３】
半導体装置７をポケット６に収納することで、固定状態に保持したテーピング包装体１は、出荷に際して、図３に示すように、ボトムテープ４が内層側となるように多重に巻装された出荷形態を採る。したがって、下層に位置するキャリアテープ３のポケット６を上層に位置するキャリアテープ３のボトムテープ４が覆って、下層のキャリアテープ３のポケット６内に収納された半導体装置７を塵埃等から保護する。
なお、テーピング包装体１の最外周側では、ポケット６が開口してポケット６内の半導体装置７を露出させることになるので、最外周側には、半導体装置７を収納しないことが好ましい。しかも、この最外周側のテープ部位は、テーピング包装体１を半導体装置７の実装機に装填した際にリードテープとなるものであるから、この点からも、半導体装置７が収納されていないことが良い。
また、上記の巻装された出荷形態において、ボトムテープ４は、半導体装置７を塵埃等から保護すると同時に、好ましくは、外部より入射する電磁波等を遮蔽するために、例えば、導電性を有するシールド素材で形成されていることが望ましい。
【００２４】
上記したテーピング包装体１に適用される半導体装置７の実装機１０は、供給リールと巻取りローラとによって一定方向に巻き取られる点、及びその移動領域上で真空吸引によりポケット内より取り出された半導体装置が実装基板上に運ばれて実装基板に装着される点は、先の図８に示した従来装置の構成と同様である。したがって、上記の構成に相当する箇所の説明は省略する。
【００２５】
本実施の形態では、実装機１０は、図４に示すように、テーピング包装体１が不図示の供給リールと巻取りローラとによって一方向（図示では左から右方向）へ移動される移動領域上であって、ポケット６内より半導体装置７の取り出しを行う真空吸引部１１より上流側の位置で、且つ、移動するテーピング包装体１のボトムテープ４と対向する位置に、紫外線照射機１２が装備された構成である。
【００２６】
紫外線照射機１２は、図５に示すように、ポケット６内でボトムテープ４の粘着層に貼付いた半導体装置７のリード８に対しピンポイントで紫外線照射を行うことができ、紫外線照射を行うことにより、ボトムテープ４の、空気に触れていないリード８粘着面の粘着力を低下するようにしている。
【００２７】
実装機１０による半導体装置７の実装方法は、テーピング包装体１を不図示の供給リール及び巻取りローラに掛け渡し、巻装状態のテーピング包装体１を巻き解いて行われる。巻取りローラの巻取りにより巻き解かれたテーピング包装体１は、ポケット６が開口して半導体装置７を露出させた状態で移動する。ポケット６内の半導体装置７が紫外線照射機１２上に移動されると、紫外線照射機１２はピンポイントで紫外線照射を行って、半導体装置７のリード８が接着した部位のボトムテープ４の粘着力を低下して、半導体装置７をボトムテープ４から剥がれ易くしている。その直後、真空吸引部１１のアームが下降して剥がれ易くなされた半導体装置７を真空吸引して上昇した後、実装基板上に運んで実装を行う。
一方、半導体装置７が取り出されたテーピング包装体１は、巻取りローラにより巻取られる。
【００２８】
上記の実装工程中、テーピング包装体１は、従前のカバーテープが省略されてカバーテープを引き剥がす際の振動の発生が解消されることに加え、ポケット６に収納した半導体装置７をボトムテープ４に貼着させているので、半導体装置７のポケット６内での動きを完全に抑えることができる。したがって、真空吸引部１１による半導体装置７の吸引位置を常時一定にして実装精度の向上を図ることができる。
また、テーピング包装体１は輸送中に振動が生じても、半導体装置７をボトムテープ４に貼着させているので、ポケット壁面と半導体装置７とが擦れて静電気を発生させることがなくなり、よって、半導体装置７の静電気破壊を防止することができる。
さらに、ポケット６内の半導体装置７を取り出す際、半導体装置７を貼着したテーピング包装体１が紫外線照射を受けて粘着力が弱められるので、真空吸引部１１は、半導体装置７の真空吸引によるボトムテープ４からの引き剥がしを容易に行うことができる。
【００２９】
一方、巻装状態になされて出荷するテーピング包装体１は、ポケット内に収納した半導体装置７を塵埃等の汚染から防止することができる。
【００３０】
【発明の効果】
本発明に係るテーピング包装体によれば、粘着性を有するボトムテープを配置して電子部品をボトムテープで固定することにより、ポケット内での電子部品の振動を防ぐことができ、よって、真空吸引部による吸引位置を安定化させて実装精度の向上を図ることが可能であると共に、静電気による電子部品の破壊も防止することができる。
また、本発明に係る実装機は、紫外線照射機を備えて、電子部品をテーピング包装体より吸引して取り出す前に、紫外線照射してテーピング包装体の粘着力を低下させているので、テーピング包装体に接着・保持された電子部品の取り出しを容易にすることができる。
【図面の簡単な説明】
【図１】本発明に係るテーピング包装体の斜視図である。
【図２】図１のＥ−Ｅ線に沿う縦断面図である。
【図３】テーピング包装体の巻装状態を示す斜視図である。
【図４】テーピング包装体の実装方法を示す実装機の模式図である。
【図５】図４における実装機の紫外線照射領域を説明する拡大図である。
【図６】従来のテーピング包装体の斜視図である。
【図７】図６のＦ−Ｆ線に沿う縦断面図である。
【図８】従来例によるエンボステープを用いた電子部品実装方法を示す模式図である。
【符号の説明】
１  テーピング包装体
２  貫通孔
３  キャリアテープ
４  ボトムテープ
５  スプロケットホール
６  ポケット
７  半導体装置
８  リード
１０  半導体装置の実装機
１１  真空吸引部
１２  紫外線照射機
【図１】
2004231257.tif 000003
【図２】
2004231257.tif 000004
【図３】
2004231257.tif 000005
【図４】
2004231257.tif 000006
【図５】
2004231257.tif 000007
【図６】
2004231257.tif 000008
【図７】
2004231257.tif 000009
【図８】
2004231257.tif 000010